(57)【要約】【課題】本発明は電量を節約することができる表示駆動回路、画像表示方法及び表示装置を提供することを目的とする。【解決手段】本発明の表示装置は、信号受信回路と、ＲＡＭと、デコーダーと、Ｄ／Ａコンバーターとを備える表示駆動回路であって、識別回路を更に備え、前記信号受信回路は、外部画像信号を受信し、該外部画像信号を前記識別回路に印加し、前記識別回路は、前記画像信号が静態の画像信号だと判断された場合、前記静態の画像信号を前記ＲＡＭに送信し、それから前記静態の画像信号は順次に前記デコーダー及びＤ／Ａコンバーターを経て、外部表示パネルに印加されており；前記識別回路は、前記画像信号がダイナミックの画像信号だと判断された場合、前記ダイナミックの画像信号は、直接にＤ／Ａコンバーターを経て外部表示パネルに印加される。【選択図】図２
2007140529.tif 000002
【特許請求の範囲】
【請求項１】
信号受信回路と、ＲＡＭと、デコーダーと、Ｄ／Ａコンバーターとを備える表示駆動回路であって、
識別回路を更に備え、前記信号受信回路は、外部画像信号を受信し、該外部画像信号を前記識別回路に印加し、前記識別回路は、前記画像信号が静態の画像信号だと判断された場合、前記静態の画像信号を前記ＲＡＭに送信し、それから前記静態の画像信号は順次に前記デコーダー及びＤ／Ａコンバーターを経て、外部表示パネルに印加されており；前記識別回路は、前記画像信号がダイナミックの画像信号だと判断された場合、前記ダイナミックの画像信号は、直接にＤ／Ａコンバーターを経て外部表示パネルに印加されることを特徴とする表示駆動回路。
【請求項２】
バッファ回路をさらに備え、前記Ｄ／Ａコンバーターはバッファ回路を経て、前記外部画像信号を外部表示パネルに送信することを特徴とする請求項１に記載の表示駆動回路。
【請求項３】
画像表示方法において、
前記信号受信回路によって外部画像信号を受信し、該外部画像信号を識別回路に印加するステップと、
前記識別回路によって、前記画像信号を識別するステップと、
前記識別回路は、前記画像信号が静態の画像信号だと判断された場合、前記静態の画像信号を前記ＲＡＭに送信し、前記ＲＡＭは、前記静態の画像信号を保存し、前記静態の画像信号を前記デコーダーに送信し、前記デコーダーは前記静態の画像信号をデコードし、
デコードされた静態の画像信号を前記Ｄ／Ａコンバーターに送信し、前記Ｄ／Ａコンバーターは、デコードされた静態の画像信号をアナログ駆動信号に転換し、前記アナログ駆動信号をバッファ回路に送信し、前記バッファ回路は、前記アナログ駆動信号を表示パネルに印加するステップと、
前記識別回路は、前記画像信号がダイナミックの画像信号だと判断された場合、前記ダイナミックの画像信号をＤ／Ａコンバーターに送信し、前記Ｄ／Ａコンバーターは、前記ダイナミックの画像信号をアナログ駆動信号に転換し、且つ、前記アナログ駆動信号を前記バッファ回路に送信し、前記バッファ回路は、前記アナログ駆動信号を前記表示パネルに印加するステップと、
を含むことを特徴とする画像表示方法。
【請求項４】
請求項１〜２のいずれかの一項に記載の表示駆動回路、及び表示パネルを備えることを特徴とする表示装置。
【請求項５】
外部画像信号を形成する電気回路基板をさらに備えることを特徴とする請求項４に記載の表示装置。
【発明の詳細な説明】
【技術分野】
【０００１】
本発明は、表示駆動回路、画像表示方法及び該表示駆動回路を採用する表示装置に関するものである。
【背景技術】
【０００２】
普通、携帯電話は表示装置を備え、該表示装置は、携帯電話の仕事の状態とか、時間とか、電話番号などの情報を表示することに用いられる。表示装置の電気損耗を節約し、携帯電話の待機時間を長くするため、携帯電話の表示装置の駆動回路にはメモリーが採用される。
【０００３】
図１は、従来の携帯電話に用いられる表示装置の構成を示すブロック図である。表示装置１００は、表示パネル１１０及び表示駆動回路１２０を備える。前記表示駆動回路１２０は、信号受信回路１２１と、ＲＡＭ（ランダム・アクセス・メモリー）１２２と、デコーダー１２３と、Ｄ／Ａコンバーター１２４と、バッファ回路１２５とを備える。前記信号受信回路１２１は、外部画像信号を受信し、該外部画像信号を前記ＲＡＭ１２２に印加し、それから前記外部画像信号は、順次に前記デコーダー１２３と、Ｄ／Ａコンバーター１２４と、バッファ回路１２５とを経て、前記液晶パネル１１０に印加し、従って、前記液晶パネル１１０によって表示される。
【０００４】
前記表示装置１００は、比較的に静態の画像を表示することに適用される。前記表示装置１００は、前記ＲＡＭ１２２に外部画像信号を保存し、それから前記ＲＡＭ１２２から外部画像信号を取り出し、持続的に表示するが、ただ画像が変化された場合、前記ＲＡＭ１２２に変化された外部画像信号を保存する。しかし、現在携帯電話の発展は急速で、その機能は日進月歩で新しくなる。例えば、テレビを見るとか、ダイナミックのビデオを見るとか、写真を取るなどの新たな機能を実現するためには、皆大量のダイナミックの画像を表示しなければならない。前記表示装置１００は、ダイナミックの画像を表示する場合、前記ＲＡＭ１２２にダイナミックの画像をリアルタイムで保存しなければならなく、もっと多い電量を消耗するという課題があった。
【発明の開示】
【発明が解決しようとする課題】
【０００５】
本発明の第一の目的は、前記のこうした課題を解決し、電量を節約する表示駆動回路を提供することである。
【０００６】
本発明の第二の目的は、前記のこうした課題を解決し、電量を節約する画像表示方法を提供することである。
【０００７】
本発明の第三の目的は、前記のこうした課題を解決し、電量を節約する表示装置を提供することである。
【課題を解決するための手段】
【０００８】
前記第一の目的を達成するため、本発明は、信号受信回路と、識別回路と、ＲＡＭと、デコーダーと、Ｄ／Ａコンバーターとを備える表示駆動回路であって、前記信号受信回路は、外部画像信号を受信し、該外部画像信号を前記識別回路に印加されており、前記識別回路は、前記画像信号を静態の画像信号だと判断された場合、前記静態の画像信号を前記ＲＡＭに伝送されており、それから前記静態の画像信号は順次に前記デコーダー及びＤ／Ａコンバーターを経て、外部表示パネルに印加されており；前記識別回路は、前記画像信号をダイナミックの画像信号だと判断された場合、前記ダイナミックの画像信号は、直接にＤ／Ａコンバーターを経て外部表示パネルに印加される。
【０００９】
前記第二の目的を達成するため、本発明の画像表示方法は、次の通りのステップを備える：ａ.信号受信回路によって外部画像信号を受信し、該外部画像信号を識別回路に印加するステップ、ｂ.前記識別回路によって、前記画像信号を識別するステップ、ｃ.前記識別回路は、前記画像信号を静態の画像信号だと判断された場合、前記静態の画像信号を前記ＲＡＭに伝送されており、前記ＲＡＭは、前記静態の画像信号をしばらく保存されており、且つ、前記静態の画像信号を前記デコーダーに伝送されており、前記デコーダーは前記静態の画像信号をデコードされており、且つ、デコードされた静態の画像信号を前記Ｄ／Ａコンバーターに伝送されており、前記Ｄ／Ａコンバーターは、デコードされた静態の画像信号をアナログ駆動信号に転換されており、且つ、前記アナログ駆動信号をバッファ回路に伝送されており、前記バッファ回路は、前記アナログ駆動信号を表示パネルに印加するステップ、ｄ. 前記識別回路は、前記画像信号をダイナミックの画像信号だと判断された場合、前記ダイナミックの画像信号を直接にＤ／Ａコンバーターに伝送されており、前記Ｄ／Ａコンバーターは、前記ダイナミックの画像信号をアナログ駆動信号に転換されており、且つ、前記アナログ駆動信号をバッファ回路に伝送されており、前記バッファ回路は、前記アナログ駆動信号を表示パネルに印加するステップ。
【００１０】
前記第三の目的を達成するため、本発明は、表示パネルと、表示駆動回路とを備える表示装置であって、前記表示駆動回路は、信号受信回路と、識別回路と、ＲＡＭと、デコーダーと、Ｄ／Ａコンバーターと、バッファ回路とを備える。前記信号受信回路は、外部画像信号を受信し、該外部画像信号を前記識別回路に印加されており、前記識別回路は、前記画像信号を静態の画像信号だと判断された場合、前記静態の画像信号を前記ＲＡＭに伝送されており、それから前記静態の画像信号は順次に前記デコーダーと、Ｄ／Ａコンバーター及びバッファ回路を経て、外部表示パネルに印加される。前記識別回路は、前記画像信号をダイナミックの画像信号だと判断された場合、前記ダイナミックの画像信号を直接にＤ／Ａコンバーターに伝送されており、それから前記ダイナミックの画像信号は前記バッファ回路を経て、外部表示パネルに印加される。
【発明の効果】
【００１１】
本発明の表示駆動回路はさらに識別回路を備え、前記識別回路は画像信号を識別することができ、前記画像信号をダイナミックの画像信号だと判断された場合、前記ダイナミックの画像信号を直接に前記Ｄ／Ａコンバーターに伝送されており、それから前記ダイナミックの画像信号は前記バッファ回路を経て、前記外部表示パネルに印加される。だから、前記表示駆動回路は、ダイナミックの画像信号を表示する場合、ＲＡＭによって画像信号をしばらく保存しなくてもよく、従って、電量を節約することができる。
【発明を実施するための最良の形態】
【００１２】
図２は、本発明の表示駆動回路の構成を示すブロック図である。表示駆動回路２００は、信号受信回路２２１と、識別回路２２６と、ＲＡＭ２２２と、デコーダー２２３と、Ｄ／Ａコンバーター２２４と、バッファ回路２２５とを備える。前記信号受信回路２２１は、外部画像信号を受信し、該外部画像信号を前記識別回路２２６に印加する。前記識別回路２２６は、前記画像信号が静態の画像信号だと判断された場合、前記静態の画像信号を前記ＲＡＭ２２２に送信し、それから前記静態の画像信号は順次に前記デコーダー２２３、Ｄ／Ａコンバーター２２４及びバッファ回路２２５を経て、外部表示パネル２２７に印加される。前記識別回路２２６は、前記画像信号がダイナミックの画像信号だと判断された場合、前記ダイナミックの画像信号を直接にＤ／Ａコンバーター２２４に送信し、それから前記ダイナミックの画像信号は前記バッファ回路２２５を経て、外部表示パネル２２７に印加される。前記表示駆動回路２００はＩＣチップである。
【００１３】
前記表示駆動回路２００は識別回路２２６を備え、前記識別回路２２６は前記画像信号を識別することができる。前記画像信号がダイナミックの画像信号だと判断された場合、前記ダイナミックの画像信号を直接にＤ／Ａコンバーター２２４に送信し、それから前記ダイナミックの画像信号は前記バッファ回路２２５を経て、外部表示パネル２２７に印加される。従って、前記表示駆動回路２００は、ダイナミックの画像信号を表示する場合、ＲＡＭ２２２に画像信号を保存せず、電量を節約することができる。
【００１４】
前記表示駆動回路２００の画像表示方法は、以下の四つのステップを備える。
【００１５】
ステップ１で、信号受信回路２２１は、外部画像信号を受信し、該外部画像信号を識別回路２２６に印加する。
【００１６】
ステップ２で、前記識別回路２２６は、画像信号を識別し、且つ識別結果によって異なる操作を行う。
【００１７】
ステップ３で、前記識別回路２２６は、前記画像信号を静態の画像信号だと判断された場合、前記静態の画像信号を前記ＲＡＭ２２２に送信する。前記ＲＡＭ２２２は、前記静態の画像信号をしばらく保存し且つ、前記静態の画像信号を前記デコーダー２２３に送信する。前記デコーダー２２３は、前記静態の画像信号をデコードし、デコードされた静態の画像信号を前記Ｄ／Ａコンバーター２２４に送信する。前記Ｄ／Ａコンバーター２２４は、デコードされた静態の画像信号をアナログ駆動信号に転換し、前記アナログ駆動信号をバッファ回路２２５に送信する。前記バッファ回路２２５は、前記アナログ駆動信号を外部表示パネル２２７に印加する。
【００１８】
ステップ４で、前記識別回路２２６は、前記画像信号をダイナミックの画像信号だと判断された場合、前記ダイナミックの画像信号を直接にＤ／Ａコンバーター２２４に送信する。前記Ｄ／Ａコンバーター２２４は、前記ダイナミックの画像信号をアナログ駆動信号に転換し、前記アナログ駆動信号をバッファ回路２２５に送信する。前記バッファ回路２２５は、前記アナログ駆動信号を外部表示パネルに印加する。
【００１９】
図３は、本発明の表示装置の構成を示すブロック図である。前記表示装置３００は、液晶表示パネル３１０と、表示駆動回路３２０と、電気回路基板３３０とを備える。前記電気回路基板３３０は画像信号を形成し、前記表示駆動回路３２０によって、液晶表示パネル３１０を駆動するために用いられる。前記表示駆動回路３２０は、信号受信回路３２１と、識別回路３２６と、ＲＡＭ３２２と、デコーダー３２３と、Ｄ／Ａコンバーター３２４と、バッファ回路３２５とを備える。正しい時、前記信号受信回路３２１は、電気回路基板３３０から生まれた画像信号を受信し、前記画像信号を前記識別回路３２６に印加する。前記識別回路３２６は、前記画像信号を静態の画像信号だと判断された場合、前記静態の画像信号を前記ＲＡＭ３２２に送信し、それから前記静態の画像信号は順次に前記デコーダー３２３と、Ｄ／Ａコンバーター３２４及びバッファ回路３２５を経て、前記液晶表示パネル３１０に印加される。前記識別回路３２６は、前記画像信号をダイナミックの画像信号だと判断された場合、前記ダイナミックの画像信号を直接にＤ／Ａコンバーター３２４に送信し、それから前記ダイナミックの画像信号は前記バッファ回路３２５を経て、液晶表示パネル３１０に印加され、前記液晶表示パネル３１０を駆動し、画像を表示する。
【００２０】
前記表示装置３００は画像信号を識別する識別回路３２６を備え、前記画像信号がダイナミックの画像信号だと判断された場合、前記ダイナミックの画像信号を直接に前記Ｄ／Ａコンバーター３２４に送信し、それから前記ダイナミックの画像信号は前記バッファ回路３２５を経て、前記液晶表示パネル３１０に印加される。だから、前記表示装置３００は、ダイナミックの画像信号を表示する場合、ＲＡＭ３２２に画像信号を保存せず、電量を節約することができる。
【００２１】
本実施形態は次の通り変形することができる。
【００２２】
前記表示装置３００の中で、前記液晶表示パネル３１０の代わりに、有機発光ダイオード（Ｏｒｇａｎｉｃ  Ｌｉｇｈｔ  Ｅｍｉｔｔｉｎｇ  Ｄｉｓｐｌａｙ）表示パネルを採用してもよく、又は他の表示パネルを採用してもよい。
【図面の簡単な説明】
【００２３】
【図１】従来の携帯電話に用いられる表示装置の構成を示すブロック図である。
【図２】本発明の表示駆動回路の構成を示すブロック図である。
【図３】本発明の表示装置の構成を示すブロック図である。
【符号の説明】
【００２４】
２００，３２０  表示駆動回路
２２１，３２１  信号受信回路
２２２，３２２  ＲＡＭ
２２３，３２３  デコーダー
２２４，３２４  Ｄ／Ａコンバーター
２２５，３２５  バッファ回路
２２６，３２６  識別回路
３００  表示装置
３１０  液晶表示パネル
３３０  電気回路基板
【図１】
2007140529.tif 000003
【図２】
2007140529.tif 000004
【図３】
2007140529.tif 000005